(57)【要約】【課題】離れた場所にいるユーザーが、容易に複数の店舗を予約することができる店舗予約システムを提供する。【解決手段】管理サーバー４０は、携帯端末３１〜３３から所定の距離範囲に含まれる予約可能な店舗を含む予約可能店舗リストを生成し、当該予約可能店舗リストを、携帯端末３１〜３３に送信し、前記予約可能店舗リストを受信した携帯端末３１〜３３は、予約可能店舗リストを表示部２０で表示させ、入力部１９から予約可能店舗リスト中の店舗を予約する店舗予約情報が入力された携帯端末３１〜３３は、前記店舗予約情報を管理サーバー４０に送信し、携帯端末３１〜３３から店舗予約情報を受信した管理サーバー４０は、携帯端末３１〜３３を所持するユーザーの識別情報である予約ユーザー情報とともに予約された店舗の店舗識別情報を、管理サーバー４０店舗情報記憶手段に追加記憶させる。【選択図】図１
2011186574.tif 000002
【特許請求の範囲】
【請求項１】
外部と通信を行う通信部、情報を表示する表示部、及び、ユーザーからの入力操作を受け付ける入力部を有する複数の携帯端末と、外部と通信を行う通信部を有する管理サーバーとからなり、前記携帯端末を所持する複数のユーザーによる店舗予約する店舗予約システムであって、
前記携帯端末は、
位置情報を受信し、携帯端末位置情報を算出する位置情報算出手段と、
前記管理サーバーから受信した情報を記憶する受信情報記憶手段を有し、
前記管理サーバーは、
店舗識別情報、店舗位置情報、及び、予約可否情報が対応付けされて記憶される店舗情報記憶手段と、
前記携帯端末から予約可能店舗検索要求及び携帯端末位置情報を受信した場合には、当該携帯端末位置情報及び前記店舗記憶手段に記憶された前記各情報に基づいて、前記携帯端末から所定の距離範囲に含まれる予約可能な店舗を含む予約可能店舗リストを生成し、前記携帯端末に送信する予約可能店舗リスト生成手段と、
携帯端末から店舗予約情報を受信した場合に、前記携帯端末を所持するユーザーの識別情報である予約ユーザー情報とともに予約された店舗の店舗識別情報を、店舗情報記憶手段に追加記憶させる予約情報記憶手段とを有し、
前記予約可能店舗リストを受信した携帯端末は、予約可能店舗リストを前記受信情報記憶領域に記憶させるとともに前記表示部で表示させ、
入力部から、予約可能店舗リスト中の店舗を予約する店舗予約情報が入力された携帯端末は、前記店舗予約情報を管理サーバーに送信し、
管理サーバーは、前記店舗情報記憶手段に記憶されている予約ユーザー情報及びこれに対応する店舗識別情報を各携帯端末に送信し、
予約ユーザー情報及びこれに対応する店舗識別情報を受信した携帯端末は、前記予約ユーザー情報及びこれに対応する店舗識別情報を、受信情報記憶手段に記憶させるとともに表示部で表示させることを特徴とする店舗予約システム。
【請求項２】
入力部から、店舗の利用時間情報及び参加者リストを生成する入力操作信号が入力された携帯端末は、前記店舗の利用時間情報及び参加者リストを、前記参加者リストに含まれるユーザーの携帯端末に送信するとともに、前記店舗の利用時間情報を管理サーバーに送信し、
前記店舗の利用時間情報及び参加者リストを受信した携帯端末は、前記受信した店舗の利用時間情報及び参加者リストを、受信情報記憶手段に記憶させるとともに表示部に表示させるとともに、前記店舗の利用時間情報を管理サーバーに送信し、
店舗の利用時間情報を受信した管理サーバーの予約可能店舗リスト生成手段は、店舗の利用時間情報を、店舗記憶手段に記憶されている予約可否情報と照合させて、予約可能店舗リストを生成することを特徴とする請求項１に記載の店舗予約システム。
【請求項３】
入力部から参加要求が入力された携帯端末は、予約可能店舗検索要求及び携帯端末位置情報を、管理サーバーに送信することを特徴とする請求項２に記載の店舗予約システム。
【請求項４】
管理サーバーが携帯端末から店舗予約情報を受信する度に、予約情報記憶手段は、前記携帯端末の予約ユーザー情報及びこれに対応する店舗識別情報を、店舗情報記憶手段に追加記憶させるとともに各携帯端末に送信することを特徴とする請求項１〜請求項３のいずれかに記載の店舗予約システム。
【請求項５】
管理サーバーから、予約ユーザー情報及びこれに対応する店舗識別情報を受信した携帯端末は、
前記予約ユーザー情報及びこれに対応する店舗識別情報を、受信情報記憶手段に記憶させるとともに表示部で表示させ、
所定時間以上、入力部から店舗予約情報が入力されない場合、又は、入力部から店舗予約保留信号が入力された場合に、店舗情報記憶手段に記憶されている予約ユーザー情報及びこれに対応する店舗識別情報を要求する参加者予約確認要求を、管理サーバーに送信することを特徴とする請求項４に記載の店舗予約システム。
【発明の詳細な説明】
【技術分野】
【０００１】
本発明は、携帯端末を所持したユーザーが、前記携帯端末を用いて店舗予約するシステムに関する。
【背景技術】
【０００２】
近年、通信技術の発達により、離れた場所にあるカラオケ店にいる複数のユーザーの姿を相互に撮影して表示し、前記複数のユーザーが異なる場所で同時にカラオケを行うようになることが想定される。この場合に、離れた場所にいる複数のユーザーが、複数の店舗を、時間帯を合わせて予約することは困難である。
なお、特許文献１には、一人のユーザーが複数の訪問場所を予約するための予約システムが提案されている。また、特許文献２には、複数のユーザーが同じ場所に集合するためのスケジュール調整システムが提案されている。
【先行技術文献】
【特許文献】
【０００３】
【特許文献１】特開２００２―３２９００２号公報
【特許文献２】特開２００８−９０５２０号公報
【発明の概要】
【発明が解決しようとする課題】
【０００４】
特許文献１に示される予約システムは、一人のユーザーを対象としている一方で、特許文献２に示されるスケジュール調整システムは、同じ場所に集合するためのシステムであり、いずれの技術も、離れた場所にいるユーザーが、複数の店舗を予約することに利用することはできない。
本発明は、上記問題を解決し、離れた場所にいるユーザーが、容易に複数の店舗を予約することができる店舗予約システムを提供することを目的とする。
【課題を解決するための手段】
【０００５】
上記課題を解決するためになされた請求項１に記載の発明は、
外部と通信を行う通信部、情報を表示する表示部、及び、ユーザーからの入力操作を受け付ける入力部を有する複数の携帯端末と、外部と通信を行う通信部を有する管理サーバーとからなり、前記携帯端末を所持する複数のユーザーによる店舗予約を補助する店舗予約システムであって、
前記携帯端末は、
位置情報を受信し、携帯端末位置情報を算出する位置情報算出手段と、
前記管理サーバーから受信した情報を記憶する受信情報記憶手段を有し、
前記管理サーバーは、
店舗識別情報、店舗位置情報、及び、予約可否情報が対応付けされて記憶される店舗情報記憶手段と、
前記携帯端末から予約可能店舗検索要求及び携帯端末位置情報を受信した場合には、当該携帯端末位置情報及び前記店舗記憶手段に記憶された前記各情報に基づいて、前記携帯端末から所定の距離範囲に含まれる予約可能な店舗を含む予約可能店舗リストを生成し、前記携帯端末に送信する予約可能店舗リスト生成手段と、
携帯端末から店舗予約情報を受信した場合に、前記携帯端末を所持するユーザーの識別情報である予約ユーザー情報とともに予約された店舗の店舗識別情報を、店舗情報記憶手段に追加記憶させる予約情報記憶手段とを有し、
前記予約可能店舗リストを受信した携帯端末は、予約可能店舗リストを前記受信情報記憶領域に記憶させるとともに前記表示部で表示させ、
入力部から、予約可能店舗リスト中の店舗を予約する店舗予約情報が入力された携帯端末は、前記店舗予約情報を管理サーバーに送信し、
管理サーバーは、前記店舗情報記憶手段に記憶されている予約ユーザー情報及びこれに対応する店舗識別情報を各携帯端末に送信し、
予約ユーザー情報及びこれに対応する店舗識別情報を受信した携帯端末は、前記予約ユーザー情報及びこれに対応する店舗識別情報を、受信情報記憶手段に記憶させるとともに表示部で表示させることを特徴とする。
【０００６】
請求項２に記載の発明は、請求項１に記載の発明において、
入力部から、店舗の利用時間情報及び参加者リストを生成する入力操作信号が入力された携帯端末は、前記店舗の利用時間情報及び参加者リストを、前記参加者リストに含まれるユーザーの携帯端末に送信するとともに、前記店舗の利用時間情報を管理サーバーに送信し、
前記店舗の利用時間情報及び参加者リストを受信した携帯端末は、前記受信した店舗の利用時間情報及び参加者リストを、受信情報記憶手段に記憶させるとともに表示部に表示させるとともに、前記店舗の利用時間情報を管理サーバーに送信し、
店舗の利用時間情報を受信した管理サーバーの予約可能店舗リスト生成手段は、店舗の利用時間情報を、店舗記憶手段に記憶されている予約可否情報と照合させて、予約可能店舗リストを生成することを特徴とする。
これにより、代表者が、店舗利用時間及び参加者を携帯端末に入力するだけで、自動的に店舗利用時間情報が管理サーバーに送信され、管理サーバーは店舗利用時間情報を参照して予約可能店舗リストを生成する。従って、参加者は予約可能な店舗を抽出する手間が省ける。
【０００７】
請求項３に記載の発明は、請求項２に記載の発明において、
入力部から参加要求が入力された携帯端末は、予約可能店舗検索要求及び携帯端末位置情報を、管理サーバーに送信することを特徴とする。
これにより、参加者が携帯端末に参加要求を入力するだけで、予約可能店舗検索要求及び携帯端末位置情報が管理サーバーに送信されて予約可能店舗リストが生成され、前記参加者は、自己が所持する携帯端末に予約可能店舗リストが送信されるので、予約可能な店舗を抽出する手間がかからない。
【０００８】
請求項４に記載の発明は、請求項１〜請求項３に記載の発明において、
管理サーバーが携帯端末から店舗予約情報を受信する度に、予約情報記憶手段は、前記携帯端末の予約ユーザー情報及びこれに対応する店舗識別情報を、店舗情報記憶手段に追加記憶させるとともに各携帯端末に送信することを特徴とする。
これにより、前記各携帯端末を所持するユーザーは、最新の他のユーザーの参加状況を知ることが可能となる。
【０００９】
請求項５に記載の発明は、請求項４に記載の発明において、
管理サーバーから、予約ユーザー情報及びこれに対応する店舗識別情報を受信した携帯端末は、
前記予約ユーザー情報及びこれに対応する店舗識別情報を、受信情報記憶手段に記憶させるとともに表示部で表示させ、
所定時間以上、入力部から店舗予約情報が入力されない場合、又は、入力部から店舗予約保留信号が入力された場合に、店舗情報記憶手段に記憶されている予約ユーザー情報及びこれに対応する店舗識別情報を要求する参加者予約確認要求を、管理サーバーに送信することを特徴とする。
これにより、店舗を予約するユーザーは、他のユーザーが予約した店舗の情報を得ることができ、店舗の予約に役立てることが可能となる。
【発明の効果】
【００１０】
本発明によれば、管理サーバーは、携帯端末から所定の距離範囲に含まれる予約可能な店舗を含む予約可能店舗リストを生成し、当該予約可能店舗リストを、前記携帯端末に送信し、前記予約可能店舗リストを受信した携帯端末は、予約可能店舗リストを表示部で表示させ、入力部から予約可能店舗リスト中の店舗を予約する店舗予約情報が入力された携帯端末は、前記店舗予約情報を管理サーバーに送信し、携帯端末から店舗予約情報を受信した管理サーバーは、前記携帯端末を所持するユーザーの識別情報である予約ユーザー情報とともに予約された店舗の店舗識別情報を、店舗情報記憶手段に追加記憶させることにしたので、離れた場所にいるユーザーが、容易に複数の店舗を、予約することが可能となる。
【図面の簡単な説明】
【００１１】
【図１】本発明の実施の形態を示す概念図である。
【図２】携帯端末のブロック図である。
【図３】管理サーバーのブロック図である。
【図４】店舗情報の説明図である。
【図５】店舗予約システムのフロー図である。
【発明を実施するための形態】
【００１２】
（本発明の概要）
以下に図面を参照しつつ、本発明の好ましい実施の形態を示す。本発明の店舗予約システム１００は、複数のＧＰＳ機能付携帯端末３１〜３３と、管理サーバー４０とから構成されている。まず、代表者が、所持する携帯端末３１に店舗利用時間及び参加者の情報を入力すると、この店舗利用時間及び参加者の情報が、公衆通信網９１を介して、参加者が所持する携帯端末３２、３３に送信される。携帯端末３１〜３３は、ＧＰＳ衛星９９からのＧＰＳ信号を受信して、それぞれの「携帯端末位置情報」を生成して、管理サーバー４０に送信する。管理サーバー４０は、「携帯端末位置情報」に基づいて、各携帯端末３１〜３３の周辺にある店舗８１〜８３を検索して、「予約可能店舗リスト」を生成し、各携帯端末３１〜３３に送信する。各携帯端末３１〜３３のユーザーは、前記「予約可能店舗リスト」を確認することにより、予約したい店舗８１〜８３を決定し、所持する携帯端末３１〜３３から、「予約店舗情報」を、公衆通信網９１を介して、管理サーバー４０に送信する。「予約店舗情報」を受信した管理サーバー４０は、「予約店舗情報」を他のユーザーの各携帯端末３２、３３に送信する。各ユーザーは、他のユーザーの「予約店舗情報」を、所持する携帯端末３２、３３で確認することにより、店舗８１〜８３の予約に役立てることができる。このような複数のユーザーによる店舗予約を補助する店舗予約システム１００の具体的な構成について以下に詳細に説明する。
【００１３】
（携帯端末のブロック図）
図２を用いて、以下に携帯端末３０について説明する。なお、代表者が所持する携帯端末３１と、参加者が所持する携帯端末３２、３３は同一のものである。携帯端末３０には、携帯電話や携帯情報端末（ＰＤＡ）、或いは、ノート型パーソナルコンピュータが含まれ、いずれの機器もＧＰＳ機能を備えている。携帯端末３０は、ＣＰＵ１１、ＲＡＭ１２、記憶部１３、入力インターフェース１５、画像生成部１６、通信部１７、位置情報信号受信部１８を有している。これらの構成は、相互にバス９で接続されている。携帯端末３０は、更に、入力部１９及び表示部２０を有している。入力部１９は、入力インターフェース１５に接続している。表示部２０は、画像生成部１６に接続している。
【００１４】
ＣＰＵ（Ｃｅｎｔｒａｌ  Ｐｒｏｃｅｓｓｉｎｇ  Ｕｎｉｔの略）１１は、ＲＡＭ（Ｒａｎｄｏｍ  Ａｃｃｅｓｓ  Ｍｅｍｏｒｙの略）１２、記憶部１３と協動して、各種演算、処理を行う。
【００１５】
ＲＡＭ１２は、ＣＰＵ１１で処理されるプログラムや、ＣＰＵ１１が処理するデータを、そのアドレス空間に一時的に記憶する。
【００１６】
記憶部１３には、不揮発性メモリーやハードディスクが含まれる。記憶部１３には、携帯端末３０を制御する各種プログラムやパラメータが記憶されている。当該各種プログラムが、ＣＰＵ１１で処理されることにより、各種機能を実現している。記憶部１３には、店舗利用時間・参加者リスト送信プログラム１３ａ、位置情報算出プログラム１３ｂ、情報表示プログラム１３ｃ、予約可能店舗検索要求プログラム１３ｄ、予約店舗情報送信プログラム１３ｅ、参加者予約確認要求プログラム１３ｆが記憶されている。また、記憶部１３には、位置情報信号記憶領域１３ｇ、携帯端末位置情報信号記憶領域１３ｈ、店舗利用時間・参加者リスト記憶領域１３ｉ、予約可能店舗リスト記憶領域１３ｊ、参加者予約情報記憶領域１３ｋを有している。
【００１７】
店舗利用時間・参加者リスト送信プログラム１３ａは、代表者が入力部１９を操作することにより入力された「店舗利用時間情報」及び「参加者リスト」を、通信部１７を介して、参加者が所持する携帯端末３２、３３に送信するプログラムである。
位置情報算出プログラム１３ｂは、位置情報信号記憶領域１３ｇに記憶された「位置情報信号」に基づいて、「携帯端末位置情報」を算出するプログラムである。
情報表示プログラム１３ｃは、画像生成部１６に描画命令を出力することにより、通信部１７で受信した情報を表示部２０で表示させるプログラムである。
予約可能店舗検索要求プログラム１３ｄは、通信部１７を介して、管理サーバー４０に「携帯端末位置情報」とともに「予約可能店舗検索要求」を送信するプログラムである。
予約店舗情報送信プログラム１３ｅは、ユーザーが予約する店舗の情報を、通信部１７を介して、管理サーバー４０に送信するプログラムである。
参加者予約情報確認要求プログラム１３ｆは、通信部１７を介して、管理サーバー４０に「参加者予約確認要求」を送信するプログラムである。
なお、店舗利用時間・参加者リスト送信プログラム１３ａ、位置情報算出プログラム１３ｂ、情報表示プログラム１３ｃ、予約可能店舗検索要求プログラム１３ｄ、予約店舗情報送信プログラム１３ｅ、参加者予約確認要求プログラム１３ｆを、ＡＳＩＣ（Ａｐｐｌｉｃａｔｉｏｎ Ｓｐｅｃｉｆｉｃ ＩｎｔｅｇｒａｔｅｄＣｉｒｃｕｉｔ）として構成することとしても差し支えない。
【００１８】
位置情報信号記憶領域１３ｇには、ＧＰＳ衛星９９から受信した「位置情報信号」が記憶される。
携帯端末位置情報信号記憶領域１３ｈには、位置情報算出プログラム１３ｂが算出した「携帯端末位置情報」が記憶される。
店舗利用時間・参加者リスト記憶領域１３ｉには、入力部１９で入力された「店舗利用時間情報」及び「参加者リスト」が記憶される。
予約可能店舗リスト記憶領域１３ｊには、管理サーバー４０から受信した「予約可能店舗リスト」が記憶される。
参加者予約情報記憶領域１３ｋには、管理サーバー４０から受信した「参加者予約情報」が記憶される。
【００１９】
入力部１９は、ユーザーからの入力操作を受け付けるものである。入力部１９には、物理的なボタン、マトリックススイッチ式や静電容量式等のタッチパネルが含まれる。ユーザーの入力部１９での入力操作による入力操作信号は、入力インターフェース１５で、物理的・論理的な形式が変換されて、バス９に入力される。
【００２０】
画像生成部１６は、ＧＰＵ（Ｇｒａｐｈｉｃｓ  Ｐｒｏｃｅｓｓｉｎｇ  Ｕｎｉｔ）及びＶＲＡＭを有している。ＧＰＵは、情報表示プログラム１３ｃからの描画命令により、「画像データ」を生成し、ＶＲＡＭに記憶させる。ＶＲＡＭに記憶された「画像データ」は、「画像信号」として表示部２０に出力される。
【００２１】
通信部１７は、公衆通信網９１と接続する基地局９２（図１に示す）と通信を行う装置である。通信部１７には、携帯電話電波や無線ＬＡＮの電波を送受信するインターフェースとなっている。なお、公衆通信網９１には、携帯電話回線、インターネット回線が含まれる。
【００２２】
位置情報信号受信部１８は、ＧＰＳ衛星９９（図１に示す）からの「位置情報信号」（ＧＰＳ信号）を受信する装置である。位置情報信号受信部１８で受信した「位置情報信号」は、記憶部１３の位置情報信号記憶領域１３ｇに記憶される。
【００２３】
（管理サーバーのブロック図）
図３を用いて、以下に管理サーバー４０について説明する。管理サーバー４０は、ＣＰＵ４１、ＲＡＭ４２、記憶部４３、通信部４５を有している。これらの構成は、相互にバス４９で接続されている。ＣＰＵ４１は、ＲＡＭ４２、記憶部４３と協動して、各種演算、処理を行う。ＲＡＭ４２は、ＣＰＵ４１で処理されるプログラムや、ＣＰＵ４１が処理するデータを、そのアドレス空間に一時的に記憶する。
【００２４】
記憶部４３には、不揮発性メモリーやハードディスクが含まれる。記憶部４３には、携帯端末管理サーバー４０を制御する各種プログラムやパラメータが記憶されている。当該各種プログラムが、ＣＰＵ４１で処理されることにより、各種機能を実現している。
記憶部４３には、予約可能店舗リスト生成プログラム４３ａ、予約可能店舗リスト送信プログラム４３ｂ、予約情報記憶プログラム４３ｃ、参加者予約情報送信プログラム４３ｄが記憶されている。更に、記憶部４３は、店舗情報記憶領域４３ｅ、携帯端末受信情報記憶領域４３ｆ、予約可能店舗リスト記憶領域４３ｇを有している。
【００２５】
予約可能店舗リスト生成プログラム４３ａは、携帯端末３１〜３３から送信された「携帯端末位置情報」に基づいて、携帯端末３１〜３３から所定の距離範囲に含まれる「予約可能店舗リスト」を生成するプログラムである。
予約可能店舗リスト送信プログラム４３ｂは、「予約可能店舗リスト」を各携帯端末３１〜３３に送信するプログラムである。
予約情報記憶プログラム４３ｃは、携帯端末３１〜３３から「店舗予約情報」を受信した場合に、前記携帯端末３１〜３３を所持するユーザーの識別情報である「予約ユーザー情報」とともに、前記「店舗予約情報」を、店舗情報記憶領域４３ｅに追加記憶させるプログラムである。
参加者予約情報送信プログラム４３ｄは、参加者が所持する携帯端末３２、３３に「参加者予約情報」を送信するプログラムである。
【００２６】
店舗情報記憶領域４３ｅには、図４に示されるような「店舗情報」が記憶されている。「店舗情報」は、「店舗識別情報」（店舗名）、「店舗位置情報」、「予約可否情報」、「参加者情報」がそれぞれ対応付けされて記憶された情報である。「予約可否情報」は、図４に示される実施形態では、予約可能な時間帯が記憶されている。
携帯端末受信情報記憶領域４３ｆには、携帯端末３０〜３３から受信した、それぞれの携帯端末の識別情報とともに、「携帯端末位置情報」が記憶される。
予約可能店舗リスト記憶領域４３ｇには、予約可能店舗リスト生成プログラム４３ａが生成した「予約可能店舗リスト」が記憶される。
【００２７】
通信部４５は、公衆通信網９１と通信を行う装置である。通信部４５は、有線ＬＡＮや無線ＬＡＮに対応したインターフェースとなっている。
【００２８】
（代表者端末処理のフロー）
図５を用いて、以下に、代表者端末処理にフローについて説明する。代表者端末処理が開始すると、Ｓ１１の処理に進む。
Ｓ１１「利用時間・参加者の入力有り」の判断処理において、代表者が所持する携帯端末３１のＣＰＵ１１が、入力インターフェース１５に、店舗の利用時間及び参加者の入力が、有ったと判断した場合には（Ｓ１１の判断処理がＹＥＳ）、店舗利用時間・参加者リスト記憶領域１３ｉに「店舗利用時間情報」及び「参加者リスト」を記憶し、Ｓ１２の処理に進む。一方、ＣＰＵ１１が、入力インターフェース１５に、店舗の利用時間及び参加者の入力が、有ったと判断しない場合には（Ｓ１１の判断処理がＮＯ）、Ｓ１２の処理に進まない。
【００２９】
Ｓ１２「利用時間・参加リスト送信」の処理において、店舗利用時間・参加者リスト送信プログラム１３ａは、店舗利用時間・参加者リスト記憶領域１３ｉに記憶されている「店舗利用時間情報」及び「参加者リスト」を、通信部１７を介して、各参加者が所持する携帯端末３２、３３に、送信する処理を行う。Ｓ１２の処理が終了すると、Ｓ１３の処理に進む。
【００３０】
Ｓ１３「位置情報信号取得」の処理において、位置情報信号受信部１８は、ＧＰＳ衛星９９（図１に示す）から「位置情報信号」を受信し、位置情報信号記憶領域１３ｇに記憶させる。Ｓ１３の処理が終了すると、Ｓ１４の処理に進む。
【００３１】
Ｓ１４「携帯端末位置情報算出」の処理において、位置情報算出プログラム１３ｂは、位置情報信号記憶領域１３ｇに記憶されている「位置情報信号」に基づいて、「携帯端末位置情報」を算出し、携帯端末位置情報信号記憶領域１３ｈに記憶させる。Ｓ１４の処理が終了すると、Ｓ１５の処理に進む。
【００３２】
Ｓ１５「予約可能店舗検索要求送信」の処理において、予約可能店舗検索要求プログラム１３ｄは、通信部１７を介して、管理サーバー４０に、「携帯端末位置情報」及び「店舗利用時間情報」とともに「予約可能店舗検索要求」を送信する。Ｓ１５の処理が終了すると、Ｓ１６の判断処理に進む。
【００３３】
Ｓ１６「予約可能店舗リスト受信」の判断処理において、ＣＰＵ１１が、通信部１７を介して、管理サーバー４０から送信された「予約可能店舗リスト」を受信したと判断した場合には（Ｓ１６の判断処理がＹＥＳ）、当該受信した「予約可能店舗リスト」を予約可能店舗リスト記憶領域１３ｊに記憶させて、Ｓ１７の処理に進む。一方で、ＣＰＵ１１が、管理サーバー４０から送信された「予約可能店舗リスト」を受信していないと判断した場合には（Ｓ１６の判断処理がＮＯ）、Ｓ１７の処理には進まない。
【００３４】
Ｓ１７「参加者予約確認要求送信」の処理において、参加者予約確認要求プログラム１３ｆは、通信部１７を介して、管理サーバー４０に「参加者予約確認要求」を送信する。Ｓ１７の処理が終了すると、Ｓ１８の判断処理に進む。
【００３５】
Ｓ１８「参加者予約情報受信」の判断処理において、ＣＰＵ１１が、通信部１７を介して、管理サーバー４０から送信された「参加者予約情報」を受信したと判断した場合には（Ｓ１８の判断処理がＹＥＳ）、当該受信した「参加者予約情報」を参加者予約情報記憶領域１３ｋに記憶させて、Ｓ１９の処理に進む。一方で、ＣＰＵ１１が、管理サーバー４０から送信された「参加者予約情報」を受信したと判断しない場合には（Ｓ１８の判断処理がＮＯ）、Ｓ１９の処理には進まない。
【００３６】
Ｓ１９「予約店舗リスト表示」の処理において、情報表示プログラム１３ｃは、予約可能店舗リスト記憶領域１３ｊに記憶されている「予約可能店舗リスト」及び参加者予約情報記憶領域１３ｋに記憶されている「参加者予約情報」を表示部２０で表示させる描画命令を、画像生成部１６に出力する。Ｓ１９の処理が終了すると、Ｓ２０の判断処理に進む。
【００３７】
Ｓ２０「予約店舗決定」の判断処理において、ＣＰＵ１１が、入力インターフェース１５に、予約する店舗を決定する信号が入力されたと判断した場合には（Ｓ２０の判断処理がＹＥＳ）、Ｓ２１の処理に進む。代表者は、表示部２０に表示された「予約可能店舗リスト」を参照して、入力部１９を操作することにより予約する店舗を決定する。一方で、ＣＰＵ１１が入力インターフェース１５に、予約する店舗を決定する信号が入力されたと判断しない場合には（Ｓ２０の判断処理がＮＯ）、Ｓ１７の処理に戻る。
【００３８】
Ｓ２１「予約店舗情報送信」の処理において、予約店舗情報送信プログラム１３ｅは、Ｓ２０の判断処理において、代表者が決定した予約する店舗の情報を「予約店舗情報」として、通信部１７を介して、管理サーバー４０に送信する。Ｓ２１の処理が終了すると、代表者端末処理が終了する。
【００３９】
（参加者端末処理のフロー）
図５を用いて、以下に、参加者端末処理のフローについて説明する。参加者端末処理が開始すると、Ｓ３１の判断処理に進む。
Ｓ３１「店舗利用時間・参加者リスト受信」の判断処理において、参加者が所持する携帯端末３２、３３のＣＰＵ１１が、通信部１７を介して、「店舗利用時間情報」及び「参加者リスト」を受信したと判断した場合には（Ｓ３１の判断がＹＥＳ）、受信した「店舗利用時間情報」及び「参加者リスト」を、店舗利用時間・参加者リスト記憶領域１３ｉに記憶し、Ｓ３２の判断処理に進む。一方で、ＣＰＵ１１が、「店舗利用時間情報」及び「参加者リスト」を受信したと判断しない場合には（Ｓ３１の判断がＮＯ）、Ｓ３２の判断処理に進まない。
【００４０】
Ｓ３２「利用時間・参加者リスト表示」の判断処理において、情報表示プログラム１３ｃは、画像生成部１６に描画命令を出力することにより、店舗利用時間・参加者リスト記憶領域１３ｉに記憶されている「店舗利用時間情報」及び「参加者リスト」を表示部２０で表示させる。Ｓ３２の処理が終了すると、Ｓ３３の判断処理に進む。
【００４１】
Ｓ３３「参加決定」の判断処理において、ＣＰＵ１１は、入力インターフェース１５に参加の決定があったと判断した場合には（Ｓ３３の判断処理がＹＥＳ）、Ｓ３４の処理に進む。参加者は、表示部２０に表示された「店舗利用時間情報」及び「参加者リスト」を参照して、入力部１９を操作することにより会合に参加するか否かを決定する。
一方で、ＣＰＵ１１は、入力インターフェース１５に不参加の決定があったと判断した場合には（Ｓ３３の判断処理がＮＯ）、参加者端末処理が終了する。
【００４２】
Ｓ３４「位置情報取得」の処理において、位置情報信号受信部１８は、Ｓ１３と同様に「位置情報信号」を受信し、位置情報信号記憶領域１３ｇに記憶させる。Ｓ３４の処理が終了すると、Ｓ３５の処理に進む。
【００４３】
Ｓ３５「携帯端末位置情報算出」の処理において、位置情報算出プログラム１３ｂは、位置情報信号記憶領域１３ｇに記憶されている「位置情報信号」に基づいて、「携帯端末位置情報」を算出し、携帯端末位置情報信号記憶領域１３ｈに記憶させる。Ｓ３５の処理が終了すると、Ｓ３６の処理に進む。
【００４４】
Ｓ３６「予約可能店舗検索情報送信」の処理において、予約可能店舗検索要求プログラム１３ｄは、通信部１７を介して、管理サーバー４０に、「携帯端末位置情報」及び「店舗利用時間情報」とともに「予約可能店舗検索要求」を送信する。Ｓ３６の処理が終了すると、Ｓ３７の判断処理に進む。
【００４５】
Ｓ３７「予約可能店舗リスト受信」の判断処理において、ＣＰＵ１１が、通信部１７を介して、管理サーバー４０から送信された「予約可能店舗リスト」を受信したと判断した場合には（Ｓ３７の判断処理がＹＥＳ）、当該受信した「予約可能店舗リスト」を予約可能店舗リスト記憶領域１３ｊに記憶させて、Ｓ３８の処理に進む。一方で、ＣＰＵ１１が、管理サーバー４０から送信された「予約可能店舗リスト」を受信したと判断したと判断しない場合には（Ｓ３７の判断処理がＮＯ）、Ｓ３８の処理には進まない。
【００４６】
Ｓ３８「参加者予約確認要求送信」の処理において、参加者予約確認要求プログラム１３ｆは、通信部１７を介して、管理サーバー４０に「参加者予約確認要求」を送信する。Ｓ３８の処理が終了すると、Ｓ３９の判断処理に進む。
【００４７】
Ｓ３９「参加者予約情報受信」の判断処理において、ＣＰＵ１１が、通信部１７を介して、管理サーバー４０から送信された「参加者予約情報」を受信したと判断した場合には（Ｓ３９の判断処理がＹＥＳ）、当該受信した「参加者予約情報」を参加者予約情報記憶領域１３ｋに記憶させて、Ｓ４０の処理に進む。一方で、ＣＰＵ１１が、管理サーバー４０から送信された「参加者予約情報」を受信したと判断しない場合には（Ｓ３９の判断処理がＮＯ）、Ｓ４０の処理には進まない。
【００４８】
Ｓ４０「予約店舗リスト表示」の処理において、情報表示プログラム１３ｃは、予約可能店舗リスト記憶領域１３ｊに記憶されている「予約可能店舗リスト」及び参加者予約情報記憶領域１３ｋに記憶されている「参加者予約情報」を表示部２０で表示させる描画命令を、画像生成部１６に出力する。Ｓ４０の処理が終了すると、Ｓ４１の判断処理に進む。
【００４９】
Ｓ４１「予約店舗決定」の判断処理において、ＣＰＵ１１が、入力インターフェース１５に、予約する店舗を決定する信号が入力されたと判断した場合には（Ｓ４１の判断処理がＹＥＳ）、Ｓ４２の処理に進む。参加者は、Ｓ４０の処理において、表示部２０で表示される「予約可能店舗リスト」及び「参加者予約情報」の両方を確認することにより、予約したい店舗を選択することができる。
一方で、ＣＰＵ１１が入力インターフェース１５に、予約する店舗を決定する信号が所定時間以上入力されていないと判断した場合、或いは、店舗の予約を保留する信号が入力された場合には（Ｓ４１の判断処理がＮＯ）、Ｓ３８の処理に戻る。
【００５０】
Ｓ４２「予約店舗情報送信」の処理において、予約店舗情報送信プログラム１３ｅは、Ｓ４１の判断処理において、参加者が決定した予約する店舗の情報を「予約店舗情報」として、通信部１７を介して、管理サーバー４０に送信する。Ｓ４２の処理が終了すると、参加者端末処理が終了する。
【００５１】
（管理サーバー処理のフロー）
図５を用いて、以下に、管理サーバー処理のフローについて説明する。管理サーバー処理が開始すると、Ｓ５６の判断処理に進む。
【００５２】
Ｓ５６「予約可能店舗検索要求受信」の判断処理において、ＣＰＵ４１が、代表者や参加者が所持する携帯端末３１〜３３から「携帯端末位置情報」、「店舗利用時間情報」、及び「予約可能店舗検索要求」を受信したと判断した場合には（Ｓ５６の判断処理がＹＥＳ）、受信した「携帯端末位置情報」を、代表者や参加者が所持する携帯端末３１〜３３の識別情報とともに、携帯端末受信情報記憶領域４３ｆに記憶させて、Ｓ５７の処理に進む。一方で、ＣＰＵ４１が、代表者や参加者が所持する携帯端末３１〜３３から「携帯端末位置情報」、「店舗利用時間情報」、及び「予約可能店舗検索要求」を受信していないと判断した場合には（Ｓ５６の判断処理がＮＯ）、Ｓ５７の処理に進まない。
【００５３】
Ｓ５７「予約可能店舗リスト作成」の処理において、予約可能店舗リスト生成プログラム４３ａは、携帯端末受信情報記憶領域４３ｆに記憶されている「携帯端末位置情報」、「店舗利用時間情報」及び店舗情報記憶領域４３ｅに記憶されている「店舗情報」を参照することにより、代表者或いは参加者が所持する携帯端末３１〜３３から所定の近距離範囲にある予約可能な店舗のリストである「予約可能店舗リスト」を生成し、当該「予約可能店舗リスト」を予約可能店舗リスト記憶領域４３ｇに記憶させる。なお、予約可能店舗リスト生成プログラム４３ａは、「店舗利用時間情報」と「店舗情報」の「予約可否情報」に照合させて、予約可能な店舗を選択する。Ｓ５７の処理が終了すると、Ｓ５８の処理に進む。
【００５４】
Ｓ５８「予約可能店舗リスト送信」の処理において、予約可能店舗リスト送信プログラム４３ｂは、Ｓ５７の処理で予約可能店舗リスト記憶領域４３ｇに記憶された「予約可能店舗リスト」を、「予約可能店舗検索要求」を送信した携帯端末３１〜３３に送信する。Ｓ５８の処理が終了すると、Ｓ５９の判断処理に進む。
【００５５】
Ｓ５９「参加者予約確認要求受信」の判断処理において、ＣＰＵ４１が、代表者や参加者が所持する携帯端末３１〜３３からの「参加者予約確認要求」を通信部４５が受信したと判断した場合には（Ｓ５９の判断処理がＹＥＳ）、Ｓ６０の処理に進む。一方で、ＣＰＵ４１が、「参加者予約確認要求」を通信部４５が受信したと判断しない場合には（Ｓ５９の判断処理がＮＯ）、Ｓ６０の処理に進まない。
【００５６】
Ｓ６０「参加者予約情報送信」の処理において、参加者予約情報送信プログラム４３ｄは、店舗情報記憶領域４３ｅに記憶されている「店舗情報」を参照することにより、「店舗識別情報」（店舗名）と「参加者情報」（予約ユーザー情報）とからなる「参加者予約情報」を、通信部４５を介して、「参加者予約確認要求」を送信した携帯端末３１〜３３に送信する。Ｓ６０の処理が終了すると、Ｓ６１の処理に進む。
【００５７】
Ｓ６１「予約店舗情報受信」の判断処理において、ＣＰＵ４１が、通信部４５を介して、代表者や参加者が所持する携帯端末３１〜３３から「予約店舗情報」を受信したと判断した場合には（Ｓ６１の判断処理がＹＥＳ）、Ｓ６２の処理に進む。一方で、ＣＰＵ４１が、代表者や参加者が所持する携帯端末３１〜３３から「予約店舗情報」を受信したと判断しない場合には（Ｓ６１の判断処理がＯＮ）、Ｓ６２の処理に進まない。
【００５８】
Ｓ６２「店舗予約情報更新」の処理において、予約情報記憶プログラム４３ｃは、Ｓ６１の判断処理で受信した「予約店舗情報」に基づいて、店舗情報記憶領域４３ｅに記憶されている「店舗情報」の「参加者情報」の欄を、更新記憶させる。具体的には、予約情報記憶プログラム４３ｃは、「参加者情報」の代表者或いは参加者が予約した店舗の欄に、「予約ユーザー情報」として代表者名或いは参加者名を追記する。Ｓ６２の処理が終了すると、Ｓ５６の判断処理に戻る。
【００５９】
なお、図５における管理サーバー処理では、処理を順番に説明しているが、管理サーバー４０が、各形態端末３１〜３３から各要求や信号を受信した場合は、対応する処理を割り込みで適宜行う。
【００６０】
（総括）
以上詳細に説明したように、本発明の店舗予約システム１００を使用すると、代表者が、店舗利用時間及び参加者の情報を携帯端末３１に入力するだけで、自動的に「店舗利用時間情報」が管理サーバーに送信され、管理サーバー４０は「店舗利用時間情報」を参照して「予約可能店舗リスト」を生成し、当該「予約可能店舗リスト」を参加者に送信するので、代表者が、予約可能な店舗を抽出し、当該予約可能な店舗を参加に告知する手間がかからない。
また、管理サーバー４０が携帯端末３２、３３から「店舗予約情報」を受信する度に、予約情報記憶プログラム４３ｃは、携帯端末３２、３３の予約ユーザー情報及びこれに対応する店舗識別情報を、店舗情報記憶領域４３ｅに追加記憶させるとともに各携帯端末３２，３３に送信するので、各携帯端末３２、３３を所持する参加者は、最新の他の参加者の参加状況を知ることができ、店舗の予約に役立てることが可能となる。
【００６１】
以上説明した実施形態では、携帯端末３１〜３３の位置情報を算出するのに、位置情報信号としてＧＰＳ信号を使用しているが、位置情報信号として例えば無線等を使用して、携帯端末３１〜３３の位置情報を算出する構成であっても差し支えない。
【００６２】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う店舗予約システムもまた技術的範囲に包含されるものとして理解されなければならない。    
【符号の説明】
【００６３】
９        バス
１１      ＣＰＵ
１２      ＲＡＭ
１３      記憶部
１３ａ    利用時間・参加者リスト送信プログラム
１３ｂ    位置情報算出プログラム
１３ｃ    情報表示プログラム
１３ｄ    予約可能店舗検索要求プログラム
１３ｅ    予約店舗情報送信プログラム
１３ｆ    参加者予約確認要求プログラム
１３ｇ    位置情報信号記憶領域
１３ｈ    携帯端末受信情報記憶領域
１３ｉ    店舗利用時間・参加者リスト記憶領域
１３ｊ    予約可能店舗リスト記憶領域
１３ｋ    参加者予約情報記憶領域
１５      入力インターフェース
１６      画像生成部
１７      通信部
１８      位置情報信号受信部
３０〜３２  携帯端末
４０      管理サーバー
４１      ＣＰＵ
４２      ＲＡＭ
４３      記憶部
４３ａ    予約可能店舗リスト生成プログラム
４３ｂ    予約可能店舗リスト送信プログラム
４３ｃ    予約情報記憶プログラム
４３ｄ    参加者予約情報送信プログラム
４３ｅ    店舗情報記憶領域
４３ｆ    携帯端末受信情報記憶領域
４３ｇ    予約可能店舗リスト記憶領域
８１〜８３  店舗
９１      公衆通信網
９２      基地局
９９      ＧＰＳ衛星
１００    店舗予約システム
【図１】
2011186574.tif 000003
【図２】
2011186574.tif 000004
【図３】
2011186574.tif 000005
【図４】
2011186574.tif 000006
【図５】
2011186574.tif 000007